(57)【特許請求の範囲】
【請求項１】
ベッド（Ｂ）側への固定部と、床面（Ｇ）に接地してサイドレール（１）を支持する支持脚（５）とを備えてなるサイドレール（１）において、前記支持脚（５）はサイドレール（１）の一部をなす枠パイプ（２ｃ）の垂直部に入れ子状に挿通して上下に摺動自在とし、該支持脚（５）の長さ調節をするための固定手段（６）を設けるに、該固定手段（６）は前記枠パイプ（２ｃ）の垂直部下端に基部メタル（１９）を固着し、該基部メタル（１９）にガイドパイプ（２０）を外嵌固定し、該ガイドパイプ（２０）の内部にヘンシンカム（２３）を挿通するとともに、基部メタル（１９）を挿通して前記ガイドパイプ（２０）に固定する一方、前記ガイドパイプ（２０）に設けた切欠き窓（２０ａ）からヘンシンカム（２３）に操作ハンドル（２２）を止着して構成したもので、前記基部メタル（１９）とヘンシンカム（２３）の外径は前記ガイドパイプ（２０）の内径と略等しく、前記基部メタル（１９）とヘンシンカム（２３）に設けた空孔部（１９ａ）とカム孔（２３ａ）はそれぞれの外径の中心に対して偏心させており、この空孔部（１９ａ）とカム孔（２３ａ）及び前記枠パイプ（２ｃ）の垂直部に挿通される支持脚（５）の軸心が同一直線上に位置すると前記支持脚（５）が上下に摺動自在な状態となり、前記操作ハンドル（２２）の回動操作により前記ヘンシンカム（２３）を回動すると前記空孔部（１９ａ）とカム孔（２３ａ）がずれることにより前記支持脚（５）が固定される状態となる支持脚（５）の固定手段（６）を設けたことを特徴とするサイドレール（１）。
【請求項２】
前記ガイドパイプ（２０）を前記操作ハンドル（２２）が前記枠パイプ（２ｃ）の下方投影方向にある状態を基準として左右に回動自在となるように切欠き窓（２４ａ）を設けてなるガイドパイプ（２４）とする一方、前記ヘンシンカム（２３）を前記操作ハンドル（２２）が左右それぞれの回動端まで回動されたときに上下の基部メタル（１９），（１９）の空孔部（１９ａ），（１９ａ）と同心となる空孔部を設けるとともにこれら空孔部を接線でつないでできる楕円状のカム孔（２５ａ）を設けてなるヘンシンカム（２５）とする請求項１に記載の固定手段（６）を具備したことを特徴とするサイドレール（１）。
【請求項３】
複数の枠部材（２），（２）を互いに回動自在となるように継手手段（３）を介して連設し、何れかの枠部材（２）にはベッド（Ｂ）側への固定部を設け、この枠部材（２）以外の少なくとも一つの枠部材（２）に支持脚（５）を配置するとともに、請求項１あるいは請求項２の何れか一項に記載の支持脚（５）の固定手段（６）を設けたことを特徴とするサイドレール（１）。
【発明の詳細な説明】
【技術分野】
【０００１】
本発明は、在宅用や病院用のベッド等に取り付けて使用されるサイドレールに、落下防止等の機能の他に介助手段としての機能を持たせたサイドレールに関するものである。
【背景技術】
【０００２】
従来より、ベッド等に取り付けられるサイドレールには、差し込み式のものや折りたたみ式等、種々の構造を有するものがある。このようなサイドレールは、布団等の落下防止や、使用者のベッドからの落下を防止する安全手段として有効である他、ベッドから床上に降り立つ時の手掛かりとしても利用されている。
これらの機能を持ったものの一つとして、ベッド等の床部側部に設けたサイドレール本体の一端部側に変位保持機構および継手手段を介して把持枠を水平方向に変位可能に連結し、これら変位保持機構および継手手段は、それぞれ、把持枠の変位を拘束する拘束手段を有し、前記変位保持機構は、変位保持機構および継手手段における拘束手段の作用／作用解除を連動する操作手段を有し、把持枠を任意の位置にて固定保持する構成としたサイドレール兼用介助装置がある。（例えば、特許文献１参照。）
【０００３】
上述のような構成におけるサイドレールは、把持枠の操作が簡略化されており、ベッド上での体位変換や、ベッドサイドへ移動して車椅子等への乗り移りが、患者あるいは療養者等利用者自ら、容易に行うことができる。しかも、把持枠を変位させておくことで、利用者がベッドサイドに起座して乗り降りには、なんら支障はなく、また、治療等の際にも差し支えないので、サイドレール兼用介助装置の着脱も不要になる等の効果がある。
しかしながら、このサイドレールは、把持枠から離れた位置にある支柱をベッド等のサイドフレームの取付穴に差し込んで固定するものである。そのために、把持枠に利用者の体重をかけた時に、支柱が取付穴から抜けないようにするために、把持枠の長さを短くする必要がある。また、抜けないようにしっかりと固定した場合においても、把持枠を長くすればする程、先端部の撓りが大きくなり、使用者にとっては使用時の不安感が増すといった問題点がある。このようなことから、把持枠の大きさには限界があり、ベッドサイドからの立ち上がり、それから移動するための把持枠としては大きさが十分ではなかった。
【０００４】
このような問題点を解決するために、次のように構成したものがある。これは、ベッドの側面に装着されるサイドレールであって、その手摺部が当該ベッドの側面に沿う方向とベッドに取付けられる基端側に対して自由端側がベッドから離れる方向に回動操作してその適所にセット可能で、かつ、この自由端側が床面に当接支持できる脚部を設けたサイドレールにおいて、この手摺部のベッド側支軸に、前記手摺部をベッドから離れる方向に回動させてセットした状態時にあってもベッドに沿う方向に保持できる当該手摺部とは別の補助手摺を装着してなるサイドレールである。（例えば、特許文献２参照。）
【０００５】
このサイドレールによれば、ベッドの側面に装備される手摺部で歩行訓練を行うことができる傍ら、この歩行訓練状態に手摺部をセットさせておいても、補助手摺をベッド側面にセットさせておけばベッド上で寝ていても不測にベッドから落下することなく安全である。また、この補助手摺自体も手摺部の支軸に自由に回動調節および上下調節してセットできるからこの補助手摺を手摺部の下側で同じ方向に向けてセットしておけば、利用者が手摺部に掴まった立ち姿勢から下側の手摺部に掴まった腰曲げ姿勢にでき訓練域を拡大させることができる。
しかしながら、このサイドレールの脚部の固定方法はボルトによる締め付けである。したがって、ベッドの高さを変更する際には必ずこのボルトを緩めて再度ベッドの高さに合わせ固定しなければならず、煩わしいものであった。
【特許文献１】実開平５−６３５３４号公報
【特許文献２】特開平６−７０９６３号公報
【発明の開示】
【発明が解決しようとする課題】
【０００６】
解決しようとする問題点は、高さ調節可能なベッドに取り付けられるサイドレールにおいて、ベッドへの取付部となる固定部と床面上に設置する支持脚を備えることで介助装置としても安定して使用できるように構成するとともに、この支持脚の長さ調節時の固定手段を容易に操作できるよう構成することを課題としている。
【課題を解決するための手段】
【０００７】
請求項１の発明は、ベッド（Ｂ）側への固定部と、床面（Ｇ）に接地してサイドレール（１）を支持する支持脚（５）とを備えてなるサイドレール（１）において、前記支持脚（５）はサイドレール（１）の一部をなす枠パイプ（２ｃ）の垂直部に入れ子状に挿通して上下に摺動自在とし、該支持脚（５）の長さ調節をするための固定手段（６）を設けるに、該固定手段（６）は前記枠パイプ（２ｃ）の垂直部下端に基部メタル（１９）を固着し、該基部メタル（１９）にガイドパイプ（２０）を外嵌固定し、該ガイドパイプ（２０）の内部にヘンシンカム（２３）を挿通するとともに、基部メタル（１９）を挿通して前記ガイドパイプ（２０）に固定する一方、前記ガイドパイプ（２０）に設けた切欠き窓（２０ａ）からヘンシンカム（２３）に操作ハンドル（２２）を止着して構成したもので、前記基部メタル（１９）とヘンシンカム（２３）の外径は前記ガイドパイプ（２０）の内径と略等しく、前記基部メタル（１９）とヘンシンカム（２３）に設けた空孔部（１９ａ）とカム孔（２３ａ）はそれぞれの外径の中心に対して偏心させており、この空孔部（１９ａ）とカム孔（２３ａ）及び前記枠パイプ（２ｃ）の垂直部に挿通される支持脚（５）の軸心が同一直線上に位置すると前記支持脚（５）が上下に摺動自在な状態となり、前記操作ハンドル（２２）の回動操作により前記ヘンシンカム（２３）を回動すると前記空孔部（１９ａ）とカム孔（２３ａ）がずれることにより前記支持脚（５）が固定される状態となる支持脚（５）の固定手段（６）を設けたことを特徴とする。
請求項２の発明は、前記ガイドパイプ（２０）を前記操作ハンドル（２２）が前記枠パイプ（２ｃ）の下方投影方向にある状態を基準として左右に回動自在となるように切欠き窓（２４ａ）を設けてなるガイドパイプ（２４）とする一方、前記ヘンシンカム（２３）を前記操作ハンドル（２２）が左右それぞれの回動端まで回動されたときに上下の基部メタル（１９），（１９）の空孔部（１９ａ），（１９ａ）と同心となる空孔部を設けるとともにこれら空孔部を接線でつないでできる楕円状のカム孔（２５ａ）を設けてなるヘンシンカム（２５）とする請求項１に記載の固定手段（６）を具備したことを特徴とする。
請求項３の発明は、複数の枠部材（２），（２）を互いに回動自在となるように継手手段（３）を介して連設し、何れかの枠部材（２）にはベッド（Ｂ）側への固定部を設け、この枠部材（２）以外の少なくとも一つの枠部材（２）に支持脚（５）を配置するとともに、請求項１あるいは請求項２の何れか一項に記載の支持脚（５）の固定手段（６）を設けたことを特徴とする。
【発明の効果】
【０００８】
まず、請求項１の発明は、ベッド（Ｂ）への取付部となる固定部と、床面（Ｇ）に接地する支持脚（５）が具備されてなるサイドレール（１）とされているので、固定部から離れた位置を把持した場合においても固定部だけでなく、支持脚（５）がサイドレール（１）を支持するのでぐらつき等がなく安定した状態で使用できる。そして、この支持脚（５）は上下に摺動自在に具備されるとともに、任意の長さでロック及びロック解除できるよう構成された固定手段（６）が備えられている。さらに、この固定手段（６）がヘンシンカム（２３）の回動操作のみによってロック及びロック解除できるよう構成されているので、操作が非常に簡単で工具等も必要ない。
詳しくは、ヘンシンカム（２３）の上下に基部メタル（１９），（１９）を配しており、その基部メタル（１９）の外周にはガイドパイプ（２０）を止着している。また、このガイドパイプ（２０）に設けた切欠き窓（２０ａ）を通して操作ハンドル（２２）をヘンシンカム（２３）に止着している。なお、前記基部メタル（１９）とヘンシンカム（２３）には外径に対して偏心した空孔部（１９ａ）及びカム孔（２３ａ）がそれぞれ設けられており、これらの空孔部（１９ａ），（１９ａ）とカム孔（２３ａ）が同一線上に位置するとき前記支持脚（５）が摺動自在となる。また、操作ハンドル（２２）を回動させると、前記空孔部（１９ａ）に対してカム孔（２３ａ）がずれ、前記支持脚（５）が固定される。
また、請求項２の発明は、ガイドパイプ（２４）に設けた切欠き窓（２４ａ）と、ヘンシンカム（２５）に設けたカム孔（２５ａ）の形状によって、枠部材（２）の下方投影方向に操作ハンドル（２２）があるとき支持脚（５）が固定状態となり、前記切欠き窓（２４ａ）に沿って操作ハンドル（２２）を左右何れかの回動端まで回動させると前記支持脚（５）が上下に摺動自在となるように構成している。したがって、サイドレール（１）の左右にかかわらず、どちら側からでも操作できる。
さらに、請求項３の発明は、複数の枠部材（２），（２）からサイドレール（１）を構成し、この枠部材（２），（２）間には適宜な操作によって回動自在となるよう構成された継手手段（３）を介在させているので、使用状態に合わせ、直線状態やクランク状態等で使用できるように構成されている。そのため、使用状態によってより使用しやすい形態とすることができる。
【発明を実施するための最良の形態】
【０００９】
互いに連設配置されるとともに、屈曲自在となるように継手手段を介して連設した複数の枠部材の少なくとも一つにはベッドに設けられた取付穴に挿通固定可能な固定部が設けられ、また他の枠部材の少なくとも一つには上下に摺動自在に支持脚が具備されており、この支持脚を容易な操作によりロックあるいはロック解除可能に構成してなる固定手段を具備してなるサイドレールとする。
このように構成することによって、サイドレールとして使用する際には、適宜継手手段を操作して略直線状態に複数の枠部材を配列する。また、介助手段として使用する際には、継手手段を操作して、複数の枠部材をクランク状態に配列して使用する。このとき、固定部から離れた位置に摺動自在に具備された支持脚のロックあるいはロック解除が容易な操作でできるように固定手段が構成されている。したがって、この固定手段の操作によって支持脚を床面に接地させた状態で使用することによって、サイドレールの固定部から離れた位置を把持部として使用した際にも、使用者をしっかりと支持することができるので安心して使用することができる。また、ベッドの高さ変更を行う際においても煩わしい操作や工具を使う必要がないので、利用者あるいは介助者が使用しやすいベッドの高さを選ぶことができる。
【実施例１】
【００１０】
以下、本発明の実施例を図面に基づいて具体的に説明する。
本発明に係るサイドレール１は、落下防止面となるとともに、把持可能な部位を備えた複数の枠部材２，２，２が互いに屈曲自在となるように継手手段３，３を介して連設されたものである。そして、これら枠部材２，２，２をベッドＢ側に固定するための固定部となる取付軸４，４と、これとは別に床面Ｇに接地させ、これら枠部材２，２，２を支持する支持脚５と、この支持脚５の固定手段６とから主に構成されている。
【００１１】
まず、第２図及び第３図に基づいて枠部材２について説明する。この枠部材２はパイプ等を略矩形状に曲折してなる枠パイプ２ａの内部に一定間隔離間させた状態で複数の補強杆２ｂ，２ｂ，・・・を固着してなるものである。このように構成した枠部材２は、布団や小物あるいは利用者の落下を防止できるとともに、体位変換等の際には把持部としても使用できる。また、この枠部材２は全面を遮蔽することなく構成されているので、仰臥した状態であっても周囲の様子を観ることができるようになっている。さらに、利用者の様子を周囲から窺うこともできる。
そして、これら枠部材２の少なくとも一つには、ベッドＢのサイドフレームＢｆ等に具備されている取付穴Ｂｈ，Ｂｈ，・・・に挿通可能な取付軸４，４が一体的に止着されている。なお、この取付軸４は取付穴Ｂｈに挿通可能な小径軸部４ａと取付穴Ｂｈよりも大径の大径軸部４ｂとからなるものである。なお、この小径軸部４ａを取付穴Ｂｈに挿通するだけでもよいが、より確実に肥猪したい場合には、小径軸部４ａ，４ａの下面にそれぞれ雌ネジ部４ｃ，４ｃを設け、取付穴Ｂｈに挿通後、ボルト部材７によってしっかりと固定してもよい。
【００１２】
次に、上述のように構成されたそれぞれの枠部材２，２，２は、それぞれが回動自在となるように継手手段３，３を介して連設される。この継手手段３について、第４図及び第５図に基づいて説明する。
まず、一方の枠部材２から突出する支持プレート８の端部には、上面に鋸歯状の歯列９ａを有する菊座受部９が固着され、その上部にはこの菊座受部９よりも径の小さい垂直な嵌合軸部１０が突出する状態で一体的に形成されている。なお、この嵌合軸部１０の上部には雌ネジ部１０ａが設けられている。
また、他方の枠部材２から突出する支持プレート１１の端部には、下面に前記菊座受部９の歯列９ａと噛み合う歯列１２ａを有する筒状の菊座受筒１２が固着されている。そして、この歯列１２ａの外周を覆い隠すようにカバー部材１３が固着されており、互いの歯列９ａ，１２ａ間での挟み込みを防止するように構成している。なお、菊座受筒１２の上部には空孔部１４ａを備えたメタル部材１４が固着されている。
そして、前記菊座受部９の嵌合軸部１０を前記菊座受筒１２に挿通する。このとき、メタル部材１４と嵌合軸部１０間にはスプリング等の弾性体１５を入れておき、手動での締め付けが可能なボルト部材１６をメタル部材１４の空孔部１４ａを通し、嵌合軸部１０の雌ネジ部１０ａに螺着している。
【００１３】
このように構成された継手手段３は、ボルト部材１６を締め込んだ状態では、弾性体１５の付勢力に抗して互いの歯列９ａ，１２ａが密着するので、回動不能な状態となっている。
逆に、ボルト部材１６を緩めると、弾性体１５の付勢力によって互いの歯列９ａ，１２ａが離間するので、回動自在な状態となる。この状態で所望の角度にそれぞれの枠部材２，２，２を回動させてボルト部材１６を締め付けることによって固定する。
なお、取付軸４，４に近い枠部材２側に菊座受部９を固着し、これに連設される枠部材２側に菊座受筒１２を固着しておくと、ベッドＢのサイドフレームＢｆにボルト部材７，７等を使用してしっかりと固定するとともに、後述する支持脚５を床面Ｇに接地させた状態であっても、ベッドＢに固定されている枠部材２はそのままの状態で、それに連設された枠部材２が上方に摺動されることで回動可能な状態となるので、継手手段３の操作のみで枠部材２，２の回動操作を行うことができる。
【００１４】
次に、第６図及び第７図に基づいて、支持脚５について説明する。この支持脚５が取り付けられる枠部材２は上述の枠パイプ２ａとは、若干異なる構成であり、略Ｐ字状に曲折されてなる枠パイプ２ｃ内部に複数の補強杆２ｂ，２ｂ，・・・を固着してなるものである（第２図及び第３図参照）。
そして、支持脚５は枠パイプ２ｃの垂直部内に入れ子状態で挿通されるパイプ１７と、このパイプ１７下端部に嵌着されたキャップ部材１８とからなるよう構成している。
【００１５】
この支持脚５を床面Ｇに接地させた状態でベッドＢの高さに応じた適切な長さで固定するために、枠パイプ２ｃの垂直部の下端に以下のような支持脚５の固定手段６が設けられている。
まず、前記枠パイプ２ｃの垂直部下端には、基部メタル１９が固着されている。
詳述すると、この基部メタル１９には、支持脚５のパイプ１７の外径程度の空孔部１９ａが基部メタル１９の外径に対して偏心されて穿たれている。さらに、この基部メタル１９の外周部には雌ネジ部１９ｂ，１９ｂがそれぞれ設けられている。そして、この基部メタル１９の空孔部１９ａの中心線をＯ１，外径の中心線をＯ２としたときに、枠パイプ２ｃ垂直部の中心線と基部メタル１９の空孔部１９ａの中心線Ｏ１を一致させた状態で固着している。
そして、この基部メタル１９にはガイドパイプ２０がネジ２１，２１により止着されている。このガイドパイプ２０の内径は、前記基部メタル１９の外径程度の大きさとしている。さらに、このガイドパイプ２０には、操作ハンドル２２の操作範囲を規定する切欠き窓２０ａが設けられている。そして、固定用の空孔部２０ｂ，２０ｂ，・・・も穿たれている。なお、本実施例においては、ガイドパイプ２０と基部メタル１９をネジ２１，２１により固定しているが、これらを一体的に構成して枠パイプ２ｃに固着してもよい。
【００１６】
次に、ガイドパイプ２０の内部には、ヘンシンカム２３が回動自在な状態となるように挿通されている。このヘンシンカム２３は、前記基部メタル１９と略同様の構成のものであり、外径が前記ガイドパイプ２０の内径程度の大きさであり、内部には外径に対して偏心した位置にカム孔２３ａが穿たれたものである。なお、カム孔２３ａと空孔部１９ａは略等しい大きさであり、外周部には操作ハンドル２２を螺着するネジ部２３ｂが設けられている。そして、このヘンシンカム２３がガイドパイプ２０の中心線Ｏ２を中心として回動することによって、空孔部１９ａとカム孔２３ａが同一中心線Ｏ１上に配置された状態からカム孔２３ａと空孔部１９ａがずれるように移動するよう構成されている。
さらに、このヘンシンカム２３の下面側には、基部メタル１９が挿通されて、ガイドパイプ２０にネジ２１，２１により止着されている。すなわち、この基部メタル１９の空孔部１９ａの中心線が上側の基部メタル１９の空孔部１９ａの中心線Ｏ１と一致するように上下の基部メタル１９，１９は配されている。
【００１７】
上記のように構成された固定手段６は、ガイドパイプ２０の切欠き窓２０ａの一方側に操作ハンドル２２を回動させた状態（第７図（ａ）参照）で上下の基部メタル１９，１９の空孔部１９ａ，１９ａ及びヘンシンカム２３のカム孔２３ａが同一中心線Ｏ１上に位置する状態にある。また、これら空孔部１９ａ，１９ａ及びカム孔２３ａは支持脚５のパイプ１７と略同径とされているので、支持脚５は摺動自在な状態となっており、任意に長さ調節ができる状態となっている。
そして、操作ハンドル２２を切欠き窓２０ａに沿って回動させると、第７図（ｂ）に示すように、回動中心となるガイドパイプ２０の中心線Ｏ２とカム孔２３ａの中心線Ｏ３が偏心しているのでカム孔２３ａと空孔部１９ａ，１９ａがずれるように移動することになる。したがって、カム孔２３ａの一部がパイプ１７を押圧するように作用することとなり、パイプ１７をしっかりと保持固定できるものである。
【００１８】
上述のように構成された固定手段６を備えたサイドレール１は、第１図に示すような状態で使用される。まず、ベッドＢへの取付けについて説明する。このサイドレール１はベッドＢのサイドフレームＢｆに設けられている取付穴Ｂｈ，Ｂｈに取付軸４，４を挿通するだけでよい。なお、この固定をよりしっかりとする場合には、下方からボルト部材７を取付軸４，４に螺着すればよい（第３図参照）。サイドレール１の固定ができた後、固定手段６の操作ハンドル２２を回動して、支持脚５が摺動自在となる状態とする。そして、支持脚５を床面Ｇに接地させた状態で操作ハンドル２２の回動操作により固定することで、ベッドＢへの取付けができる。
【００１９】
次に、サイドレール１の使用方法について第１図に基づいて説明する。まず、ベッドＢ上で療養する際には、サイドレール１を略直線状にして使用する。また、ベッドＢからの離床を行う際には、例えばクランク状に曲折させて使用する。このようにすることで、ベッド上で療養する際には、布団等や使用者の落下を防止することができる。また、クランク状に曲折させた状態では、ベッドＢ側部で使用者が端座位をとりやすく、また、前方及び側方に把持部が位置するので安心して立ち上がりができる。
そして、ベッドＢの高さを変更する際には、まず、操作ハンドル２２を回動させて支持脚５が摺動自在な状態とする。次にベッドＢの高さ調節機構を操作することによって、ベッドＢの高さ変更をする。このとき、ベッドＢが高くなると、支持脚５は床面Ｇに接地したまま、枠部材２はベッドＢとともに上下何れかに移動する。したがって、ベッドＢの高さ調節ができた後、操作ハンドル２２の回動操作により支持脚５の固定を行うだけでよい。このように、工具等を使用することなく、ハンドル操作のみで支持脚５のロック及びロック解除ができるので非常に便利である。
また、上述の構成によるサイドレール１については操作ハンドル２２の回動方向によって左右異なるものとなるが、第６図に示すように上側の基部メタル１９に対して着脱可能となる構成としておけば、ガイドパイプ２０の切欠き窓２０ａの向きを変えればよい。
【実施例２】
【００２０】
次に第８図及び第９図に示す上記と異なる実施例について説明する。この実施例では、ガイドパイプ２４とヘンシンカム２５の構成が異なっており、その他の構成については実施例１と同様の構成としたものであり、同じ部材には同じ符号を付している。
まず、このガイドパイプ２４には、操作ハンドル２２の回動範囲を規定する切欠き窓２４ａが設けられている。この切欠き窓２４ａは、ガイドパイプ２４を基部メタル１９に止着した状態で、操作ハンドル２２が枠パイプ２ｃの下方投影方向にある状態を基準として左右に回動自在となるように設けられている。
そして、この操作ハンドル２２の回動操作によって支持脚５をしっかりと固定するために作用するヘンシンカム２５は、次のように構成されている。まず、操作ハンドル２２を切欠き窓２４ａの基準位置から左右の回動端に回動させた状態で上下に配されている基部メタル１９，１９の空孔部１９ａ，１９ａと同一中心線Ｏ１を中心とした空孔部を設け、これらの空孔部を接線でつないでできる形状のカム孔２５ａを備えている。
その他の構成については、実施例１と同様であるので説明は省略する。
【００２１】
このように構成された固定手段６は、次のように作用する。
まず、第９図（ａ）に示すように操作ハンドル２２を切欠き窓２４ａの何れか一方側に回動させた状態では、カム孔２５ａが基部メタル１９の空孔部１９ａを遮ることがないので、内部に挿通された支持脚５のパイプ１７は、上下に摺動自在な状態となっている。したがって、操作ハンドル２２を切欠き窓２４ａの何れか一方側に回動させた状態としたときには、ベッドＢの高さ変更にあわせ、支持脚５の長さ調節が可能となっている。
また、第９図（ｂ）に示すように操作ハンドル２２を切欠き窓２４ａの中央位置、すなわち枠パイプ２ｃの下方投影方向に位置させた状態では、基部メタル１９の空孔部１９ａの一部をカム孔２５ａが遮る状態となっており、内部挿通される支持脚５のパイプ１７を押圧するように作用する。したがって、空孔部１９ａ，１９ａとカム孔２５ａによってパイプ１７がしっかりと保持される。すなわち、この状態では、支持脚５の上下摺動がロックされている。
【００２２】
この実施例２においては、切欠き窓２４ａの形状を上述したように構成したことで、ロック状態を基準として、操作ハンドル２２を左右それぞれの方向に回動させればロック解除できるよう構成されており、組み立てられたサイドレール１の状態でベッドＢの左右両側で使用できるものとなっている。
【００２３】
また、第１０図は異なる形状のガイドパイプ２６を示すものである。このガイドパイプ２６は、基準位置から一方側にしか操作ハンドル２２を回動させないように切欠き窓２６ａが設けられている。なお、２６ｂは取付け用の空孔部である。したがって、ロック状態及び解除状態がはっきりとわかるよう構成されたものであるが、ベッドＢの取付け位置によっては実施例１と同様にガイドパイプ２６の組み替えが必要となる。
【図面の簡単な説明】
【００２４】
【図１】使用状態説明図
【図２】全体斜視図
【図３】使用状態を示す正面図
【図４】継手手段の構成を示す説明図
【図５】継手手段を示す要部断面図
【図６】第一の実施例における固定手段の構成を示す説明図
【図７】その固定手段の作用説明図                                                    （ａ）ロック解除の状態の説明図                                              （ｂ）ロック状態の説明図
【図８】第二の実施例における固定手段の構成を示す説明図
【図９】その固定手段の作用説明図                                                    （ａ）ロック解除の状態の説明図                                              （ｂ）ロック状態の説明図
【図１０】ガイドパイプを示す説明図
【符号の説明】
【００２５】
１    サイドレール
２    枠部材
３    継手手段
４    取付軸
５    支持脚
６    固定手段
１９  基部メタル
２０，２４  ガイドパイプ
２２  操作ハンドル
２３，２５  ヘンシンカム
Ｂ    ベッド
Ｂｆ  サイドフレーム
Ｂｈ  取付穴
【図１】
0004604258.tif 000002
【図２】
0004604258.tif 000003
【図３】
0004604258.tif 000004
【図４】
0004604258.tif 000005
【図５】
0004604258.tif 000006
【図６】
0004604258.tif 000007
【図７】
0004604258.tif 000008
【図８】
0004604258.tif 000009
【図９】
0004604258.tif 000010
【図１０】
0004604258.tif 000011